(57)【特許請求の範囲】
【請求項１】
遊技機主部とこれを支持する外枠とが分離する遊技機であって、
遊技機主部の底部において、細長い板状の一端が展開自在になるように、その他端を該遊技機主部に回動自在に軸支されたヒンジ部材と、
前記ヒンジ部材と着脱自在に係合させることができる係合部材を具備した外枠と、を備え、
前記外枠に、前記遊技機主部を前記ヒンジ部材を介して着脱自在に固定し得るように構成した、ことを特徴とする遊技機。
【請求項２】
遊技機主部の底部において、細長い板状の一端が展開自在になるように、その他端を該遊技機主部に回動自在に軸支されたヒンジ部材を備え、
前記ヒンジ部材を、遊技機用島設備側の取付枠に設けられた係合部材に着脱自在に係合させ、該取付枠に、前記遊技機主部を該ヒンジ部材を介して着脱自在に固定し得るように構成した、ことを特徴とする遊技機。
【発明の詳細な説明】
【技術分野】
【０００１】
本発明は、遊技機例えばパチンコ遊技機が並んで設置されるパチンコ島に設けられている矩形状の取付枠に遊技機を取り付ける際に用いる部材を備えた遊技機に関する。
【背景技術】
【０００２】
遊技機、例えばパチンコ遊技機の入れ替え時には、パチンコ島内を構成する個々の取付枠に、パチンコ遊技機をいわゆる木枠と称される木製の外枠と共に嵌め込む。このとき、取付枠に対してパチンコ遊技機をその上部を作業者側に傾斜させ、パチンコ遊技機の下部を先に嵌め込み、次にその上部を押し込むようにして嵌め込む。次に、この外枠に対して回動可能に取り付けられた遊技機主部を扉のように開ける。パチンコ島に嵌め込まれた遊技機の外枠の上部の内面から上方に向けて釘を数本上部枠板に打ち込む。同様に遊技機の外枠の下部の内面から下方に向けて釘を数本下部枠板に打ち込んで外枠をパチンコ島の取付枠に固定する。
【０００３】
例えば、外枠の上部に釘を２本、下部にも２本を打ち込んで固定する。なお、釘を完全に打ち込まず、釘の頭から５〜６ミリ残しておく。打ち込んだだけでは島の上部枠板と下部枠板と外枠の間に隙間ができる。次に、釘の頭部をバールで引っ張ることにより、隙間が少なくなり固定される。釘の頭部を少し浮かすことによって次回の入れ替えの際に簡単に抜けるようになっている。その後、パチンコ遊技機について所定の傾斜を調整する。
【０００４】
遊技機をパチンコ島の取付枠から取り外すときは、遊技機主部を扉のように開ける。遊技機の外枠の上部と下部から打ち込んだ釘を引き抜く。次に、パチンコ島の取付枠から遊技機を外枠と共に外し、遊技機全体を取り外す。
【０００５】
このような遊技機の入れ替えに際して、釘の引く抜きと新たな遊技機の釘の打ち込みが必要なため、作業の煩雑さは解消されないものであった。そこで、遊技機をパチンコ島の取付枠に容易に取り付け、取り外すことに関する技術について、例えば特許文献１の特開平７−５１４５９号公報「パチンコ台の取付装置」が提案されている。
【先行技術文献】
【特許文献】
【０００６】
【特許文献１】特開平７−５１４５９号公報
【発明の概要】
【発明が解決しようとする課題】
【０００７】
しかし、特許文献１の「パチンコ台の取付装置」では、パチンコ島の取付枠（取付板）両側面に、遊技機の外枠側と自在に着脱する別個の枠体を更に設ける構造である。そのために、パチンコ島の取付枠に枠体を更に設ける作業が必要になるという問題を有していた。
【０００８】
また、従来のこのような外枠付きの遊技機は、遊技機主部の周囲に木製と金属製の枠体（外枠）が一体になっているので、遊技機の入れ替えの際に、ホール内で嵩張り、入れ替え作業の邪魔になりやすいという問題を有していた。
【０００９】
そこで、本発明の発明者は、遊技機の島の枠板への固定手段を釘以外の手段にすることに着目した。遊技機主部から所謂外枠を分離し、遊技機主部のみを島に容易に取り付け、取り外すことにより、遊技機の入れ替えを短時間で終了することができ、かつ大量の遊技機をコンパクトに搬送できることに着目した。
【００１０】
本発明は、かかる問題点を解決するために創案されたものである。すなわち、本発明の目的は、遊技機主部と外枠とを分離した構成にすることで、遊技機主部をコンパクトにして容易に搬送でき、また遊技機主部を分離した外枠に迅速に取り付け、取り外しができると共に、その外枠と嵌合する部材が、遊技機主部を自立させることができ、円滑に入れ替え作業ができる遊技機を提供することにある。
【課題を解決するための手段】
【００１１】
本発明は、遊技機主部とこれを支持する外枠とが分離する遊技機であって、遊技機主部の底部において、細長い板状の一端が展開自在になるように、その他端を該遊技機主部に回動自在に軸支されたヒンジ部材と、前記ヒンジ部材と着脱自在に係合させることができる係合部材を具備した外枠と、を備え、前記外枠に、前記遊技機主部を前記ヒンジ部材を介して着脱自在に固定し得るように構成した、ことを特徴とする。
【００１２】
また、遊技機主部の底部において、細長い板状の一端が展開自在になるように、その他端を該遊技機主部に回動自在に軸支されたヒンジ部材を備え、前記ヒンジ部材を、遊技機用島設備側の取付枠に設けられた係合部材に着脱自在に係合させ、該取付枠に、前記遊技機主部を該ヒンジ部材を介して着脱自在に固定し得るように構成した、ことを特徴とする。
【発明の効果】
【００１３】
上記構成の発明では、遊技機主部が外枠から分離した構造になり、遊技機主部を外枠に装着する際に、遊技機ベースユニットに設けられたヒンジ部材を、外枠の係合部材に嵌合させることにより、遊技機主部と外枠とを強固に嵌合させることができる。入れ替え作業に際してこのヒンジ部材は、遊技機ベースユニットから展開した状態にすると、そのまま遊技機主部（遊技機ベースユニット）を自立させることができる。即ち、遊技機主部のみを交換するので、遊技機主部は下部が不安定な状態になるが、遊技機主部の下部に設けた可動自在になる下側部材が展開した状態になっていると、遊技機主部の転倒を防止することができ、遊技機主部を自立させることができる。
このヒンジ部材は、弾性部材の付勢力により係止を解除することで自動展開する構造になる。一方、ヒンジ部材を遊技機ベースユニットと平行に維持することで、従来の外枠と一体になった遊技機と比較してコンパクトに取り扱うことができる。
【００１４】
特に、遊技機主部と外枠とが分離する構成であるために、最初に外枠をホールの島の上部枠板と下部枠板の間に釘固定しておくことにより、遊技機の入れ替えに際しては、遊技機主部のみを交換するだけで迅速に入れ替え作業を終了させることができる。
【００１５】
このヒンジ部材は、そのまま枠体に嵌合する機能をあわせ持つ。更に、枠体に遊技機主部を取り付け後は、このヒンジ部材の弾性部材の付勢力が、そのまま遊技機主部を円滑に開けられるようになる。
【００１６】
また、上記構成の発明では、遊技機主部が外枠から分離した構造になり、遊技機主部はコンパクトになり、嵩張らない。予め外枠に相当する枠体をパチンコ島に設置しておくことで、遊技機の入れ替えに際して、この枠体に遊技機主部が着脱自在に嵌合することができ、短時間でこの枠体に遊技機主部を取り付けることができる。また、遊技機主部を取り外すことができる。
【図面の簡単な説明】
【００１７】
【図１】一実施の形態におけるパチンコ機を示す斜視図である。
【図２】パチンコ機の主要な構成を展開して示す斜視図である。
【図３】パチンコ機の主要な構成を展開して示す斜視図である。
【図４】パチンコ機の構成を示す背面図である。
【図５】遊技機ベースユニットの構成を示す正面図である。
【図６】遊技盤の構成を示す正面図である。
【図７】遊技機ベースユニットの構成を示す背面図である。
【図８】遊技機前面ユニットの構成を示す背面図である。
【図９】裏パックユニットの構成を示す正面図である。
【図１０】裏パックユニットの構成を示す分解斜視図である。
【図１１】実施例１の展開自在になるヒンジ部材を備えた遊技機主部を示す斜視図である。
【図１２】実施例１の係合部材が設けられた外枠を示す斜視図である。
【図１３】外枠の係合部材に設けられた嵌合ピンを示す縦断面図であり、（ａ）はヒンジ部材を嵌合ピンに嵌合させる前の状態、（ｂ）は嵌合させる途中の状態、（ｃ）は嵌合させた状態である。
【図１４】実施例１の展開自在になるヒンジ部材を備えた遊技機主部２１を、外枠１１に嵌合させた状態を示す斜視図である。
【図１５】実施例１のヒンジ部材に設けられた回動弾性部材を示す拡大斜視図である。
【図１６】実施例１の施錠装置がヒンジ部材の展開を阻止している状態を示す拡大斜視図である。
【実施例１】
【００１８】
以下、本発明の好ましい実施の形態を図面を参照して説明する。
図１は本発明の実施例１のパチンコ機１０の遊技機主部２１と外枠１１とが嵌合した状態を示す斜視図である。図２及び図３はパチンコ機１０の主要な構成を展開して示す斜視図である。図４はパチンコ機１０の背面図である。なお、図２では便宜上パチンコ機１０の遊技領域内の構成を省略している。
パチンコ機１０は、当該パチンコ機１０の外殻を形成する外枠１１と、この外枠１１に対して前方に回動可能に取り付けられた遊技機主部２１とを有する。特に、本発明では、後述するように、この外枠１１と遊技機主部２１とが着脱自在に分離する構造になっている。
【００１９】
＜遊技機１０の全体構成＞
外枠１１は、板材１２〜１５を四辺に連結し構成されるものであって矩形枠状をなしている。外枠１１を構成する板材１２〜１５は、左右の板材１２，１３がアルミなどの金属製となっており、上下の板材１４，１５が木製となっている。パチンコ機１０は、外枠１１の上下の板材１４，１５を島設備に取り付け固定することにより、遊技ホールに設置される。
【００２０】
上記のように左右の板材１２，１３を金属製とするとともに上下の板材１４，１５を木製とすることで、島設備への固定を可能としつつ外枠１１の補強を行うことができる。なお、外枠１１の構成は上記のものに限定されることはなく、全ての板材１２〜１５を木製としてもよく、全ての板材１２〜１５を金属製としてもよい。また、板材１２〜１５の全部又は一部を合成樹脂製としてもよい。
【００２１】
外枠１１の左側の板材１２には、その上下の各端部に支持金具１７，１８が取り付けられている。これら支持金具１７，１８に支持させるようにして、図２及び図３に示すように、遊技機主部２１が外枠１１に対して回動可能に取り付けられている。本発明は、これら支持金具１７，１８に遊技機主部２１を着脱自在に取り付ける構造になる。
【００２２】
遊技機主部２１は、遊技機ベースユニット（本体枠又は内枠）２２と、その遊技機ベースユニット２２の前方に配置される遊技機前面ユニット（前面扉又は前枠）２３と、遊技機ベースユニット２２の後方に配置される裏パックユニット２４とを備えている。遊技機主部２１のうち遊技機ベースユニット２２が外枠１１に対して回動可能に支持されている。詳細には、正面視で左側を回動基端（開閉基端）側とし右側を回動先端（開閉先端）側として遊技機ベースユニット２２が前方へ回動可能（開閉可能）とされている。
【００２３】
遊技機前面ユニット２３には、手前側へ膨出した第１膨出部９５が窓パネル部９１の下方に設けられており、その第１膨出部９５内側には、上方に開口した上皿９５ａが設けられている。上皿９５ａは、第１払出口２３１より払い出された遊技球を一旦貯留し、一列に整列させながら下流側（本実施の形態では右側）へ導くための球受皿である。
【００２４】
第１膨出部９５には、上皿９５ａの下流側に上皿球抜きスイッチ２３２が設けられるとともに、上皿９５ａの前方に貸球操作部２３３が配設されている。上皿球抜きスイッチ２３２は、上皿９５ａに貯留された遊技球を排出するために操作されるものである。
【００２５】
貸球操作部２３３には、球貸しボタン２３４と、返却ボタン２３５とが設けられている。球貸しボタン２３４は、カード等（記録媒体）に記録された情報に基づいて貸出球を得るために操作されるものであり、カード等に残額が存在する限りにおいて貸出球が払い出される。返却ボタン２３５は、カードユニットに挿入されたカード等の返却を求める際に操作される。
【００２６】
また、第１膨出部９５の前面側中央部には、球貸しボタン２３４と返却ボタン２３５との間に、遊技者により操作可能なプッシュ式の演出スイッチ２３６が設けられている。演出スイッチ２３６には図示しないランプが内蔵されており、選択操作が有効とされる状況下ではランプが点灯表示され、選択操作が無効とされる状況下ではランプが消灯表示されるようになっている。そして、当該ランプが点灯表示されている状況下で演出スイッチ２３６を操作された場合、後述する図柄表示装置７１の表示モードが変更されるようになっている。
【００２７】
遊技機前面ユニット２３の下部位置には、手前側へ膨出した第２膨出部９６が設けられており、その第２膨出部９６内側には、上方に開口した下皿９６ａが設けられている。下皿９６ａは、第２払出口２３７より払い出された遊技球を一旦貯留するための球受皿である。下皿９６ａには、例えば下皿球抜きスイッチ２３３を操作された場合、上皿９５ａに貯留された遊技球が第２払出口２３７より排出されるようになっている。
【００２８】
第２膨出部９６前面側には、下皿９６ａに貯留された遊技球を下方に排出するための上球抜きスイッチ２３８が設けられている。また、第２膨出部９６の右方には、手前側へ突出するようにして遊技球発射ハンドル８４が設けられている。遊技球発射ハンドル８４は、板材１２の背面側に設けられた遊技球発射機構８０（図５参照）に連結されており、上皿９５ａに貯留された遊技球は、遊技者が遊技球発射ハンドル８４を回転させることにより、遊技盤６１に形成された遊技領域に向けて発射される。
【００２９】
遊技機ベースユニット２２は、図２及び図３に示すように、外枠１１の開口全体を覆う大きさを有しており、その背面側であって回動先端側には施錠装置３１が取り付けられている。施錠装置３１は長尺状の連動杆３２を備えており、当該連動杆３２には上下一対の鉤金具３３が設けられている。外枠１１に対して遊技機ベースユニット２２を閉鎖した際には、鉤金具３３が外枠１１の右側の板材１３に設けられた受け金具３４に係止され、施錠装置３１により施錠状態とされるようになっている。また、遊技機ベースユニット２２にはシリンダ錠３５が設けられており、シリンダ錠３５の操作によって連動杆３２を上方向又は下方向のうち予め定められた方向に移動させると、外枠１１に対する遊技機ベースユニット２２の施錠状態が解除される。
【００３０】
遊技機ベースユニット２２には、図２に示すように、遊技機前面ユニット２３が回動可能に支持されており、正面視で左側を回動基端（開閉基端）側とし右側を回動先端（開閉先端）側として前方へ回動可能（開閉可能）とされている。また、遊技機ベースユニット２２には、図３に示すように、裏パックユニット２４が回動可能に支持されており、正面視で左側を回動基端（開閉基端）側とし右側を回動先端（開閉先端）側として後方へ回動可能（開閉可能）とされている。
【００３１】
次に、遊技機ベースユニット２２、遊技機前面ユニット２３及び裏パックユニット２４のそれぞれについて詳細に説明する。
＜遊技機ベースユニット２２＞
先ず、遊技機ベースユニット２２の構成について詳細に説明する。図５は遊技機ベースユニット２２の正面図である。図６は遊技機ベースユニット２２に搭載された遊技盤６１の正面図である。図７は遊技機ベースユニット２２の背面図である。なお、図５では便宜上パチンコ機１０の遊技領域内の構成を省略している。
【００３２】
遊技機ベースユニット２２は、外形が外枠１１とほぼ同一形状をなす樹脂ベース４１を主体に構成されている。樹脂ベース４１の中央部には略楕円形状の窓孔５１が形成されている。樹脂ベース４１にはその後方から遊技盤６１が着脱可能に取り付けられている。詳細には、樹脂ベース４１の裏面には、図７に示すように、複数（本実施の形態では４箇所）の固定金具５２〜５５が設けられており、これら固定金具５２〜５５によって遊技盤６１は後方へ脱落しないように固定されている。固定金具５２〜５５は手動で回動操作することができ、固定位置（ロック位置）と固定解除位置（アンロック位置）とに切り換えることができるよう構成されている。
【００３３】
遊技盤６１は合板よりなり、遊技盤６１の前面に形成された遊技領域が樹脂ベース４１の窓孔５１を通じて遊技機ベースユニット２２の前面側に露出した状態となっている。
【００３４】
ここで、遊技盤６１の構成を図６に基づいて説明する。遊技盤６１には、ルータ加工が施されることによって前後方向に貫通する大小複数の開口部が形成されている。各開口部には一般入賞口６２，可変入賞装置６３，上作動口６４，下作動口６５，スルーゲート６６及び可変表示ユニット６７等がそれぞれ設けられている。このうち、可変入賞装置６３、上作動口６４、下作動口６５及び可変表示ユニット６７は、遊技盤６１の左右方向の中央において上下方向に並べて設けられており、上から可変表示ユニット６７、上作動口６４、下作動口６５及び可変入賞装置６３の順となっている。また、一般入賞口６２は、遊技盤６１の下部において、左側に２個及び右側に２個の合計４個設けられている。ちなみに、遊技盤６１の左側は遊技機前面ユニット２３の回動基端側に相当し、遊技盤６１の右側は遊技機前面ユニット２３の回動先端側に相当する。
【００３５】
一般入賞口６２、可変入賞装置６３、上作動口６４及び下作動口６５に遊技球が入球すると、それが検知スイッチにより検知され、その検知結果に基づいて所定数の賞球の払い出しが実行される。具体的には、一般入賞口６２に一の遊技球が入球すると単位遊技球数として１０個の遊技球が払い出され、可変入賞装置６３に一の遊技球が入球すると単位遊技球数として１５個の遊技球が払い出され、上作動口６４に一の遊技球が入球すると単位遊技球数として３個の遊技球が払い出され、下作動口６５に一の遊技球が入球すると単位遊技球数として４個の遊技球が払い出される。
【００３６】
その他に、遊技盤６１の最下部にはアウト口６８が設けられており、各種入賞口等に入らなかった遊技球はアウト口６８を通って遊技領域から排出される。また、遊技盤６１には、遊技球の落下方向を適宜分散、調整等するために多数の釘６９が植設されていると共に、風車等の各種部材（役物）が配設されている。
【００３７】
可変表示ユニット６７には、いずれかの作動口６４，６５への入賞をトリガとして図柄を可変表示する図柄表示装置７１が設けられている。また、可変表示ユニット６７には、図柄表示装置７１を囲むようにしてセンターフレーム７２が配設されている。センターフレーム７２の上部には、第１特定ランプ部７３及び第２特定ランプ部７４が設けられている。また、センターフレーム７２の上部及び下部にはそれぞれ保留ランプ部７５，７６が設けられている。下側の保留ランプ部７５は、図柄表示装置７１及び第１特定ランプ部７３に対応しており、遊技球が作動口６４，６５を通過した回数は最大４回まで保留され保留ランプ部７５の点灯によってその保留個数が表示されるようになっている。上側の保留ランプ部７６は、第２特定ランプ部７４に対応しており、遊技球がスルーゲート６６を通過した回数は最大４回まで保留され保留ランプ部７６の点灯によってその保留個数が表示されるようになっている。
【００３８】
図柄表示装置７１は、液晶ディスプレイを備えた液晶表示装置として構成されており、後述する表示制御装置により表示内容が制御される。図柄表示装置７１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。なお、図柄表示装置７１は、ＣＲＴ，ドットマトリックス，７セグメント等その他のタイプにより表示画面を構成したものであってもよい。
【００３９】
第１特定ランプ部７３では、作動口６４への入賞をトリガとして所定の順序で発光色の切り替えが行われ、予め定められた色で停止表示された場合には大当たりが発生する。また、第２特定ランプ部７４では、遊技球のスルーゲート６６の通過をトリガとして所定の順序で発光色の切り替えが行われ、予め定められた色で停止表示された場合には下作動口６５に付随する電動役物６５ａが所定時間だけ開放状態となる。
【００４０】
ちなみに、下作動口６５は、開閉手段としての電動役物６５ａが開放状態の場合に入球が可能となり、閉鎖状態の場合に入球が不可となる。なお、これに限定されることはなく、電動役物６５ａが開放状態の場合に入球し易くなり、閉鎖状態の場合に入球しがたくなる構成としてもよい。
【００４１】
可変入賞装置６３は、開閉手段としての開閉扉６３ａが通常は遊技球が入球できない又は入球しがたい閉鎖状態になっており、大当たりの際に遊技球が入球しやすい所定の開放状態に切り換えられるようになっている。可変入賞装置６３の開放態様としては、所定時間（例えば３０秒間）の経過又は所定個数（例えば１０個）の入賞を１ラウンドとして、複数ラウンド（例えば１５ラウンド）を上限として可変入賞装置６３が繰り返し開放されるものが一般的である。
【００４２】
遊技盤６１には、内レール部７７と外レール部７８とが取り付けられており、これら内レール部７７と外レール部７８とにより誘導レールが構成され、遊技球発射機構から発射された遊技球が遊技領域の上部に案内されるようになっている。ちなみに、図５に示すように、樹脂ベース４１の窓孔５１の右上部には返しゴム７９が設けられており、所定以上の勢いで発射された遊技球は返しゴム７９に当たり、遊技領域の中央寄りに跳ね返されるようになっている。この場合、返しゴム７９はその遊技球が当たる面が遊技領域の中央側に向けて傾斜させて形成されているため、遊技領域の中央に向けた遊技球の跳ね返しが良好に行われるようになっている。
【００４３】
遊技球発射機構８０は、図５に示すように、樹脂ベース４１における窓孔５１の下方に取り付けられている。遊技球発射機構８０は、電磁式のソレノイド８１と、発射レール８２と、球送り機構８３とからなり、ソレノイド８１への電気的な信号の入力により当該ソレノイド８１の出力軸が伸縮方向に移動し、球送り機構８３によって発射レール８２上に置かれた遊技球を遊技領域に向けて打ち出す。ソレノイド８１への電気的な信号の入力は、遊技機前面ユニット２３の下部に設けられた遊技球発射ハンドル８４（図１等参照）が操作されることに基づいて発生する。
【００４４】
樹脂ベース４１の前面における回動基端側にはその上端部及び下端部に支持金具４２，４３が取り付けられており、これら支持金具４２，４３に対して遊技機前面ユニット２３が支持されていることで当該遊技機前面ユニット２３が遊技機ベースユニット２２に対して前方に回動可能となっている。また、樹脂ベース４１の前面における回動先端側には、遊技機前面ユニット２３の背面に設けられた鉤金具４４（図２参照）を挿入するための挿入孔４５が上下方向に離間させて複数設けられている。遊技機ベースユニット２２に対して遊技機前面ユニット２３を閉鎖した状態では、遊技機前面ユニット２３の鉤金具４４が挿入孔４５内に入り込み、当該鉤金具４４は上述した施錠装置３１に係止される。これにより、遊技機ベースユニット２２に対して遊技機前面ユニット２３が施錠された状態となる。この施錠状態はシリンダ錠３５の操作によって施錠装置３１の連動杆３２を、外枠１１に対する遊技機ベースユニット２２の解錠を行う場合とは反対側に移動させることで解除される。
【００４５】
＜遊技機前面ユニット２３＞
ここで、遊技機前面ユニット２３の構成について説明する。図８は遊技機前面ユニット２３の背面図である。
遊技機前面ユニット２３は遊技機ベースユニット２２の前面側全体を覆うようにして設けられている。遊技機前面ユニット２３には、図１に示すように、上記遊技領域のほぼ全域を前方から視認することができるようにした略楕円形状の窓パネル部９１が設けられている。窓パネル部９１の周囲には、各種ランプ等の発光手段が設けられている。例えば、窓パネル部９１の周縁に沿ってＬＥＤ等の発光手段を内蔵した環状電飾部９２が設けられている。環状電飾部９２では、大当たり時や所定のリーチ時等における遊技状態の変化に応じて点灯や点滅が行われる。また、環状電飾部９２の中央であってパチンコ機１０の最上部には所定のエラー時に点灯するエラー表示ランプ部９３が設けられている。また、窓パネル部９１の左上方及び右上方には、遊技状態に応じた効果音などが出力されるスピーカ部９４が設けられている。
【００４６】
遊技機前面ユニット２３における窓パネル部９１の下方には、手前側へ膨出した上側膨出部９５と下側膨出部９６とが上下に並設されている。上側膨出部９５内側には上方に開口した上皿９５ａが設けられており、下側膨出部９６内側には同じく上方に開口した下皿９６ａが設けられている。上皿９５ａは、後述する払出装置より払い出された遊技球を一旦貯留し、一列に整列させながら後述する遊技球発射機構側へ導くための機能を有する。また、下皿９６ａは、上皿９５ａ内にて余剰となった遊技球を貯留する機能を有する。なお、下側膨出部９６の右方には、上述した遊技球発射ハンドル８４が設けられている。
【００４７】
遊技機前面ユニット２３の背面における回動基端側（図８の右側）には、その上端部及び下端部に突起軸９７，９８が設けられている。これら突起軸９７，９８は遊技機ベースユニット２２に対する組付機構を構成する。また、遊技機前面ユニット２３の背面における回動先端側（図８の左側）には、上述した鉤金具４４が上下方向に複数並設されている。
【００４８】
また、遊技機前面ユニット２３の背面には、図８に示すように、前面側通路ユニット２７１が取り付けられている。前面側通路ユニット２７１は、合成樹脂により成形されており、上皿９５ａに通じる前扉側上皿通路と、下皿９６ａに通じる前扉側下皿通路とが形成されている。前面側通路ユニット２７１の詳細については後に説明する。
【００４９】
＜遊技機ベースユニット２２の背面構成＞
次に、遊技機ベースユニット２２の背面構成について図７を用いて詳細に説明する。
樹脂ベース４１の背面における回動先端側には既に説明した施錠装置３１が設けられている。また、樹脂ベース４１の中央には上記のとおり遊技盤６１が取り付けられている。
【００５０】
遊技盤６１の中央に配置された可変表示ユニット６７には、図３及び図７に示すように、センターフレーム７２を後方から覆う合成樹脂製のフレームカバー１００が後方に突出させて設けられており、フレームカバー１００に対して後側から上述した図柄表示装置７１が取り付けられているとともに、その図柄表示装置７１を駆動するための表示制御装置１０１が取り付けられている。これら図柄表示装置７１及び表示制御装置１０１は前後方向に重ねて配置され（図柄表示装置７１が前、表示制御装置１０１が後）、さらにその後方に音声ランプ制御装置ユニット１０２が搭載されている。音声ランプ制御装置ユニット１０２は、音声ランプ制御装置１０３と、取付台１０４とを具備する構成となっており、取付台１０４上に音声ランプ制御装置１０３が装着されている。
【００５１】
音声ランプ制御装置１０３は、後述する主制御装置からの指示に従い音声やランプ表示、及び表示制御装置の制御を司る音声ランプ制御基板を具備しており、音声ランプ制御基板が透明樹脂材料等よりなる基板ボックスに収容されて構成されている。
【００５２】
遊技盤６１の背面であって可変表示ユニット６７の下方には、主制御装置ユニット１０５が搭載されている。主制御装置ユニット１０５は、合成樹脂製の取付台１０６を有し、取付台１０６に主制御装置１０７が搭載されている。主制御装置１０７は、遊技の主たる制御を司る機能（主制御回路）と、電源を監視する機能（停電監視回路）とを有する主制御基板を具備しており、当該主制御基板が透明樹脂材料等よりなる基板ボックス１０８に収容されて構成されている。なお、当該基板ボックス１０８には、当該基板ボックスの開放痕跡手段としてカシメ構造や図示しない封印シールが設けられているとともに、取付台１０６に対する主制御装置１０７の離脱痕跡手段としてカシメ構造が設けられている。
【００５３】
遊技盤６１の背面における主制御装置ユニット１０５により覆われた領域には、図示しない集合板ユニットが設けられている。集合板ユニットには、各種入賞口に入賞した遊技球を回収するための遊技球回収機構や、各種入賞口等への遊技球の入賞を検知するための入賞検知センサなどが設けられている。遊技球回収機構にて回収された遊技球は後述する排出通路を介してパチンコ機１０外部に排出される。また、入賞検知センサは主制御装置１０７と電気的に接続されており、遊技球の入賞を検知した場合の検知信号は主制御装置１０７にて入力される。
【００５４】
樹脂ベース４１の背面における回動基端側（図７の右側）には、軸受け金具１１１，１１２，１１３が取り付けられている。軸受け金具１１１〜１１３は上下に離間させて３個設けられている。なお、軸受け金具１１１〜１１３の数は任意であり、２個であってもよく、４個以上であってもよい。これら軸受け金具１１１〜１１３に対して軸支させて遊技機ベースユニット２２には裏パックユニット２４が取り付けられている。裏パックユニット２４により、図５に示すように、可変表示ユニット６７の全部及び主制御装置ユニット１０５の一部が後方から覆われており、裏パックユニット２４を開放させない限り可変表示ユニット６７及び主制御装置ユニット１０５を樹脂ベース４１から取り外すことができないようになっている。
【００５５】
樹脂ベース４１の背面には、図３及び図７に示すように、裏パックユニット２４を遊技機ベースユニット２２に固定するための固定金具１１５が設けられている。固定金具１１５は手動で回動操作することができ、固定位置（ロック位置）と固定解除位置（アンロック位置）とに切り換えることができるよう構成されている。また、図７に示すように、樹脂ベース４１の背面には締結孔部１１６が形成されており、当該締結孔部１１６に対して裏パックユニット２４に設けられた締結具１１７（図９参照）を締結させることによっても裏パックユニット２４が遊技機ベースユニット２２に固定される。
【００５６】
＜裏パックユニット２４＞
次に、裏パックユニット２４の構成について詳細に説明する。図９は裏パックユニット２４の正面図である。図１０は裏パックユニット２４の分解斜視図である。
裏パックユニット２４は、当該裏パックユニット２４の上部及び中央部分を構成する第１裏パックユニット１２１と、当該第１裏パックユニット１２１に連続させて設けられ裏パックユニット２４の下部を構成する第２裏パックユニット１４１とを備えている。第１裏パックユニット１２１にはその下部に開口部１２２が形成されており、第２裏パックユニット１４１の上部は当該開口部１２２の下縁部分を構成している。
【００５７】
第１裏パックユニット１２１と第２裏パックユニット１４１には、図９に示すように、それぞれ軸金具１２３，１３９が設けられており、それら軸金具１２３，１３９はそれぞれ個別に軸受け金具１１１〜１１３に支持されている。これにより、第１裏パックユニット１２１と第２裏パックユニット１４１とは、遊技機ベースユニット２２に対してそれぞれ個別に回動可能となっている。
【００５８】
ここで、上記のとおり、第２裏パックユニット１４１はその上部が第１裏パックユニット１２１の開口部１２２の下縁部分を構成しており、当該下縁部分において、第１裏パックユニット１２１がパチンコ機１０前方となるようにして第１裏パックユニット１２１と第２裏パックユニット１４１とが前後に重なっている。したがって、第１裏パックユニット１２１を遊技機ベースユニット２２に対して閉鎖した状態で第２裏パックユニット１４１を開放させることはできるが、第２裏パックユニット１４１を閉鎖した状態で第１裏パックユニット１２１を開放させることはできない。なお、これに限定されることはなく、開閉の関係が第１裏パックユニット１２１と第２裏パックユニット１４１とで逆であってもよく、第１裏パックユニット１２１と第２裏パックユニット１４１とが相互に干渉することなく開閉可能な構成であってもよい。さらには、第１裏パックユニット１２１と第２裏パックユニット１４１とが一体化され個別に開閉できない構成としてもよい。
【００５９】
次に、第１裏パックユニット１２１の構成について詳細に説明する。
第１裏パックユニット１２１は、裏パック１２４を備えており、当該裏パック１２４に対して、払出機構部１２５が取り付けられている。裏パック１２４は透明性を有する合成樹脂により成形されており、払出機構部１２５などが取り付けられるベース部１２６と、パチンコ機１０後方に突出し略直方体形状をなす保護カバー部１２７とを有する。保護カバー部１２７は左右側面及び上面が閉鎖され且つ下面のみが開放された形状をなし、少なくとも可変表示ユニット６７を囲むのに十分な大きさを有する。
【００６０】
ベース部１２６には、その右上部に外部端子板１３１が設けられている。外部端子板１３１には各種の出力端子が設けられており、これらの出力端子を通じて遊技ホール側の管理制御装置に対して各種信号が出力される。また、ベース部１２６には上述した第１裏パックユニット１２１の軸金具１２３が設けられている。
【００６１】
ベース部１２６には、保護カバー部１２７を迂回するようにして払出機構部１２５が配設されている。払出機構部１２５は、タンク１３２と、タンクレール１３３と、上下通路ユニット１３４とを備えている。タンク１３２は上方に開放されており、裏パック１２４の最上部に設けられている。タンク１３２には遊技ホールの島設備から遊技球が逐次補給される。タンクレール１３３は、タンク１３２の下方において当該タンク１３２に連結されており、下流側に向けて緩やかに傾斜している。当該タンクレール１３３の下流部に連結させて上下通路ユニット１３４が設けられている。上下通路ユニット１３４は上下方向に延びており、その途中位置に払出装置１３５が設けられている。また、上下通路ユニット１３４の下流側には、球受け部、裏パック側通路部、本体側通路部及び前面側通路部が設けられており、前面側通路部は上皿９５ａ及び下皿９６ａに連通されている。
【００６２】
つまり、タンク１３２と、上皿９５ａ及び下皿９６ａの受け皿との間には、タンクレール１３３、上下通路ユニット１３４、球受け部、裏パック側通路部、本体側通路部及び前面側通路部からなる誘導通路部が設けられており、タンク１３２に貯留されている遊技球は当該誘導通路部を通じて上皿９５ａ又は下皿９６ａに払い出される。なお、上下通路ユニット１３４の構成、及びそれよりも下流側の構成については後に詳細に説明する。
【００６３】
払出機構部１２５には、裏パック基板１３６が設置されている。裏パック基板１３６には、例えば交流２４ボルトの主電源が供給され、電源スイッチ１３７の切替操作により電源ＯＮ又は電源ＯＦＦとされるようになっている。
【００６４】
次に、第２裏パックユニット１４１の構成について詳細に説明する。
第２裏パックユニット１４１は、排出通路盤１４２と制御装置集合ユニット１４３とを備えている。排出通路盤１４２は第２裏パックユニット１４１の前側を構成し、制御装置集合ユニット１４３は第２裏パックユニット１４１の後側を構成している。そして、これら排出通路盤１４２と制御装置集合ユニット１４３とが前後に組み付けられて第２裏パックユニット１４１が構成されている。
【００６５】
排出通路盤１４２は、制御装置集合ユニット１４３と対向する面に後方に開放された排出通路１４４が形成されており、当該排出通路１４４の開放部は制御装置集合ユニット１４３によって塞がれている。排出通路１４４は、遊技ホールの島設備等へ遊技球を排出するように形成されており、上述した各種入賞口等から排出通路１４４に導出された遊技球は当該排出通路１４４を通ることでパチンコ機１０外部に排出される。
【００６６】
制御装置集合ユニット１４３は、横長形状をなす取付台１４５を有し、取付台１４５に払出制御装置１４６と電源及び発射制御装置１４７とが搭載されている。これら払出制御装置１４６と電源及び発射制御装置１４７とは、払出制御装置１４６がパチンコ機１０後方となるように前後に重ねて配置されている。
【００６７】
払出制御装置１４６は、基板ボックス１４８内に払出装置１３５を制御する払出制御基板が収容されている。なお、払出制御装置１４６から払出装置１３５への払出指令の信号は上述した裏パック基板１３６により中継される。また、払出制御装置１４６には状態復帰スイッチ１４８ａが設けられている。例えば、払出装置１３５における球詰まり等、払出エラーの発生時において状態復帰スイッチ１４８ａが押されると、球詰まりの解消が図られるようになっている。
【００６８】
電源及び発射制御装置１４７は、基板ボックス１４９内に電源及び発射制御基板が収容されており、当該基板により、各種制御装置等で要する所定の電源が生成されて出力され、さらに遊技者による遊技球発射ハンドル８４の操作に伴う遊技球の打ち出しの制御が行われる。また、電源及び発射制御装置１４７にはＲＡＭ消去スイッチ１４９ａが設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ１４９ａを押しながら電源を投入すると、ＲＡＭデータが初期化されるようになっている。
【００６９】
＜ヒンジ部材２２０１の全体構成＞
図１１は実施例１の展開自在になるヒンジ部材２２０１を備えた遊技機主部２１を示す斜視図である。図１２は実施例１の係合部材２２０３が設けられた外枠１１を示す斜視図である。
実施例１の遊技機１０を構成する遊技機主部２１は、その遊技機ベースユニット２２の底面部に、この遊技機ベースユニット２２の横方向と略同じ長さを有するヒンジ部材２２０１を備えている。このヒンジ部材２２０１は、その一端が遊技機ベースユニット２２の下端の支持金具１８に回動自在に軸支されている（図１５参照）。このヒンジ部材２２０１は遊技機ベースユニット２２の上端の支持金具１７と共に、外枠１１に対する遊技機主部２１のヒンジ機能を有する。
【００７０】
ヒンジ部材２２０１は、図１１に示すように、遊技機ベースユニット２２の奥行きより広い幅を有する細長い板状の金属製の部材であり、その長手方向の一側端縁に、数箇所の固定用の係合横孔２２０２が開けられている。係合横孔２２０２は、ヒンジ部材２２０１の金属板をその一側端縁を曲折し、その曲折した部分に開けられたものである。
【００７１】
＜外枠１１の係合部材２２０３の全体構成＞
外枠１１には、図１２に示すように、その内側下部に金属製又は合成樹脂製などの係合部材２２０３が備えられている。この係合部材２２０３には、ヒンジ部材２２０１の係合横孔２２０２に、水平方向から係合する係合片２２０４が複数形成されている。図示例の係合部材２２０３には、金属製の板材の４箇所に舌片を突出させ、この舌片の先端部を横断面が横Ｕ字状になるように曲折して成る係合片２２０４を備えている。各係合片２２０４は、ヒンジ部材２２０１の係合横孔２２０２にそれぞれ係合する。このように形成することで、ヒンジ部材２２０１即ち遊技機ベースユニット２２を、係合部材２２０３即ち外枠１１に強固に取り付けることができる。これは一例であり、このような１枚構成の金具に代えて、それぞれの係合横孔２２０２に係合する位置に数個の係合片２２０４を配置する手段でもよい。
【００７２】
また、外枠１１の係合部材２２０３には、その数箇所に位置決め用の嵌合ピン２２０６を挿通させる嵌合挿通孔２２０７が開けられている。各嵌合挿通孔２２０７の配置間隔は、ヒンジ部材２２０１の嵌合孔２２０５の配置間隔と整合させてある。
【００７３】
一方、ヒンジ部材２２０１には、図１１に示すように、数箇所に位置決め用の嵌合孔２２０５が上下方向に開けられている。各嵌合孔２２０５には、外枠１１に設けられた係合部材２２０３を構成する部材の下面から上方へ付勢された嵌合ピン２２０６が着脱自在に嵌合する。この嵌合ピン２２０６は先端（図示上は上端）が半球状になっている。
【００７４】
図１３は外枠１１の係合部材２２０３に設けられた嵌合ピン２２０６を示す縦断面図であり、（ａ）はヒンジ部材２２０１を嵌合ピン２２０６に嵌合させる前の状態、（ｂ）は嵌合させる途中の状態、（ｃ）は嵌合させた状態である。
【００７５】
係合部材２２０３には、図１３に示すように、支持部材２２０８に上下方向に出没自在に支持された嵌合ピン２２０６が設けられている。この嵌合ピン２２０６は、支持部材２２０８に内装されたコイルばね等の弾性部材２２０９により、第１フランジ２２１０で上方へ付勢されている。図１３（ａ）に示すように、嵌合ピン２２０６はこの弾性部材２２０９の付勢力で先端部が、係合部材２２０３の嵌合挿通孔２２０７からその半球状部分のみが露出するようになっている。
【００７６】
ヒンジ部材２２０１を嵌合ピン２２０６に嵌合させるとき、即ち遊技機主部２１を外枠１１に嵌合させるときは、図１３（ｂ）に示すように、この嵌合ピン２２０６の先端部は半球状に形成されているために、ヒンジ部材２２０１の下面が、係合部材２２０３面上をスライドする際に、嵌合ピン２２０６は弾性部材２２０９に抗して容易に内部に引っ込む。ヒンジ部材２２０１をスライドさせることができる。
【００７７】
そのまま、遊技機主部２１を外枠１１に完全に嵌合させると、図１３（ｃ）に示すように、ヒンジ部材２２０１の嵌合孔２２０５の位置になると、弾性部材２２０９の付勢力で嵌合ピン２２０６の先端部が、各嵌合挿通孔２２０７を通過し、嵌合孔２２０５に嵌合し、位置決めとしての機能を発揮する。
【００７８】
更に、ヒンジ部材２２０１と外枠１１の係合部材２２０３とを確実に固定するために、支持部材２２０８には嵌合ピン２２０６のストッパ２２１１が水平方向にスライドするように設けられている。このストッパ２２１１は、図１３（ａ）に示すように、嵌合ピン２２０６が嵌合孔２２０５に嵌合している状態を維持するものである。このストッパ２２１１は、嵌合ピン２２０６の外径よりやや広い幅を有する長孔２２１２を有し、かつこの長孔２２１２の一部は薄い部分２２１３（嵌合ピン２２０６の出没を可能にする位置）と一部は厚い部分２２１４（嵌合ピン２２０６の可動を阻止する位置）とからなっている。通常は、図１３（ａ）に示すように、嵌合孔２２０５から突出するように付勢されているが、上方から内部に押すと弾性部材２２０９の付勢力に抗して嵌合ピン２２０６が内部に没するようになっている。
【００７９】
図１３（ｂ）に示すように、このストッパ２２１１の長孔２２１２の厚い部分２２１４を、嵌合ピン２２０６側に移動させると、嵌合ピン２２０６の第２フランジ２２１５がこの長孔２２１２の厚い部分２２１４で固定され、図１３（ｃ）に示すように、嵌合ピン２２０６の突出した状態が維持される。これらのストッパ２２１１は数箇所それぞれで、嵌合ピン２２０６を固定するようにする。これにより、ヒンジ部材２２０１が係合部材２２０３から離脱しなくなり、強固に固定することができる。
【００８０】
図１４は実施例１の展開自在になるヒンジ部材２２０１を備えた遊技機主部２１を、外枠１１に嵌合させた状態を示す斜視図である。
このように構成された遊技機主部２１と外枠１１は、図１４に示すように、遊技機主部２１の遊技機ベースユニット２２に設けられた支持金具１７ｂ（１７）を、外枠１１に設けられた支持金具１７ａ（１７）に装着する。次に、遊技機ベースユニット２２に設けられたヒンジ部材２２０１を係合部材２２０３に嵌合させる。このときヒンジ部材２２０１は、外枠１１の係合部材２２０３に嵌合させることにより、遊技機主部２１と外枠１１とを強固に嵌合させることができる。
【００８１】
このときに、本発明のヒンジ部材２２０１は、図１１に示したように、遊技機ベースユニット２２から展開した状態にすると、そのまま遊技機主部２１（遊技機ベースユニット２２）を自立させることができる。一方、ヒンジ部材２２０１を遊技機ベースユニット２２と平行に維持することで、従来の外枠と一体になった遊技機１０と比較してコンパクトに取り扱うことができる。
【００８２】
また、本発明は遊技機主部２１と外枠１１とが分離する構成であるために、一番最初に外枠１１をホールの島の上部枠板と下部枠板の間に釘固定しておく。遊技機１０の入れ替えに際しては、遊技機主部２１のみを交換するだけで迅速に入れ替え作業を終了させることができる。
【００８３】
図１５は実施例１のヒンジ部材２２０１に設けられた回動弾性部材２２１６を示す拡大斜視図である。
ヒンジ部材２２０１は、遊技機ベースユニット２２の片側に軸支されている箇所には、このヒンジ部材２２０１を展開する方向へ付勢するようにコイルばね等の回動弾性部材２２１６が取り付けられている。図示するように、遊技機ベースユニット２２に設けられた支持金具１８にボス孔２２１７を設け、このボス孔２２１７にヒンジ部材２２０１の軸部材２２１８を回動自在に取り付け、このボス孔２２１７の周囲に回動弾性部材２２１６を取り付けた。この回動弾性部材２２１６の付勢力により約直角方向に展開させることが望ましい。これはこのヒンジ部材２２０１が島に取り付ける前では、遊技機１０を自立させる機能を持たせるためである。
【００８４】
そこで、遊技機ベースユニット２２から展開したときに、例えば、遊技機ベースユニット２２の面方向から約１３０度から１４０度程度の角度で開くように設定する。これは、このヒンジ部材２２０１が展開角度が９０度より小さいと、遊技機１０を設置後にホール内で遊技機主部２１を開ける際に、その内部の点検が容易に実施できないからである。逆に、約１４０度以上に展開すると、遊技機１０を自立させる機能が発揮できないからである。
【００８５】
そこで、ヒンジ部材２２０１の回動部分には、過展開を防止するヒンジ部材側停止片２２１９が設けられている。図１５の図示例では、回動弾性部材２２１６のばね材の一端を固定する部材を兼用している。遊技機主部２１側には下端部の支持金具１８に、このヒンジ部材側停止片２２２０と接するユニット側停止片２２２０が設けられている。この両停止片２２１９，２２２０が当接してヒンジ部材２２０１の過展開を防止する。
【００８６】
本発明のヒンジ部材２２０１は、文字通りのヒンジ機能が第１の機能である。更に、上述したように回動弾性部材２２１６の付勢力により展開するようになっている。この展開したヒンジ部材２２０１は、遊技機ベースユニット２２の転倒を防止する機能が第１の機能である。
【００８７】
図１６は実施例１の施錠装置３１がヒンジ部材２２０１の展開を阻止している状態を示す拡大斜視図である。
ヒンジ部材２２０１の一部に切り欠き状の被係止部２２２１が設けられている。この被係止部２２２１には、施錠装置３１の連動杆３２の下側に設けられている鉤金具３３の下端に更に下方へ延びる展開防止金具３２０１が係止する。この展開係止金具３２０１は、シリンダ錠３５の操作によって連動杆３２を上方向又は下方向のうち予め定められた方向に移動させると、外枠１１に対する遊技機ベースユニット２２の施錠状態が解除される。外枠１１に対する遊技機ベースユニット２２の施錠状態とされるようになっている。
【００８８】
更に、本発明のヒンジ部材２２０１は回動弾性部材２２１６により常時展開するようになっている。そこで、このように、運搬時、格納時には遊技機ベースユニット２２にヒンジ部材２２０１を格納してコンパクトにする必要がある。そこで、この遊技機ベースユニット２２にヒンジ部材２２０１と並行状態にするために、施錠装置３１の鉤金具３３に展開防止金具３２０１を設けた。
【００８９】
外枠１１に対して遊技機ベースユニット２２を閉鎖した際には、鉤金具３３が外枠１１の右側の板材１３に設けられた受け金具３４に係止され、施錠装置３１により施錠状態とされるようになっている。なお、展開防止金具２２２２は、ヒンジ部材２２０１の被係止部２２２１とは完全に密着せず、いわゆる「遊び」を設けている。これはヒンジ部材２２０１、遊技機ベースユニット２２の設置状態のずれが生じたときにも対応でき、汎用性を高めるようにするためである。
【実施例２】
【００９０】
実施例２の本発明では、上述した外枠１１に設けられた金属製又は合成樹脂製などの係合部材２２０３を、遊技機用島設備に固定された取付枠に設けた（図示していない）。予め、上述した外枠１１と同じ構造の部材がホールの島に設けられている場合は、展開自在のヒンジ部材２２０１を備えた遊技機主部２１をこの取付枠に嵌め込むだけで遊技機１０の入れ替えが短時間で完了する。
この実施例２の本発明は、外枠１１に設けられた係合部材２２０３が取付枠に設けられたこと以外は、上述した構成と同様である。
例えば、ヒンジ部材には、その長手方向に数箇所の固定用の係合横孔が開けられ、取付枠の係合部材は、各係合横孔に係合する係合片が複数形成され、それぞれの係合片が係合横孔に係合するようになっている。
【００９１】
取付枠の係合部材には、その長手方向に数箇所に位置決め用の出没自在になる嵌合ピンを備え、ヒンジ部材に開けられた嵌合孔に、各嵌合ピンが嵌合するようになっている。取付枠の係合部材には、ヒンジ部材の嵌合孔に嵌合している嵌合ピンをストッパで下から固定するようになっている。
【００９２】
なお、上述した実施の形態の記載内容に限定されず、例えば次のように実施してもよい。
（１）上記実施の形態では、残存遊技球数が２９個となるように、上下通路ユニット１３４において切換片から払出装置１３５の回転体までの通路長を設定したが、残存遊技球数は２９個に限定されることはなく、単位遊技球数のいずれの整数倍とも一致しない数であれば具体的な数は任意である。例えば、上記実施の形態における単位遊技球数の設定において、残存遊技球数を１７個、１９個、２３個等としてもよい。
【００９３】
（２）入賞口６２〜６５に対する単位遊技球数の設定は、上記実施の形態のものに限定されることはなく、任意である。但し、単位遊技球数の設定を変更した場合には、それら単位遊技球数のいずれの整数倍とも一致しないように残存遊技球数を変更する必要がある。ちなみに、可変入賞装置６３に対する単位遊技球数を１５個に代えて、１４個としてもよい。当該構成であっても、残存遊技球数を２９個とすることで、上記実施の形態と同様の効果を得ることができる。
【００９４】
（３）上記実施の形態では、単位遊技球数が異なる入賞口の種類を４種類としたが、これに限定されることはなく、１種類、２種類、３種類又は５種類以上であってもよい。この場合であっても、残存遊技球数を単位遊技球数のいずれの整数倍とも一致しないようにすることで、上記実施の形態と同様の効果を得ることができる。
【００９５】
（４）上記実施の形態では、図柄表示装置７１を備えたパチンコ機１０に対して本発明を適用したが、それ以外のタイプのパチンコ機に適用してもよい。例えば、遊技球転動部や有利口などが設けられた入賞役物装置を備えたパチンコ機や、他の役物を備えたパチンコ機、アレンジボール機、雀球等の遊技機にも、本発明を適用できる。また、受け皿として上皿９５ａ及び下皿９６ａが設けられているのではなく、単一の受け皿が設けられたパチンコ機にも、本発明を適用できる。
【００９６】
以下、上述した実施の形態から抽出される発明群の特徴について、必要に応じて効果等を示しつつ説明する。
遊技機Ａ１．
遊技機、例えばパチンコ遊技機の入れ替え時には、パチンコ島内を構成する個々の取付枠に、パチンコ遊技機をいわゆる木枠と称される木製の外枠と共に嵌め込む。このとき、取付枠に対してパチンコ遊技機をその上部を作業者側に傾斜させ、パチンコ遊技機の下部を先に嵌め込み、次にその上部を押し込むようにして嵌め込む。次に、この外枠に対して回動可能に取り付けられた遊技機主部を扉のように開ける。パチンコ島に嵌め込まれた遊技機の外枠の上部の内面から上方に向けて釘を数本上部枠板に打ち込む。同様に遊技機の外枠の下部の内面から下方に向けて釘を数本下部枠板に打ち込んで外枠をパチンコ島の取付枠に固定する。
【００９７】
例えば、外枠の上部に釘を２本、下部にも２本を打ち込んで固定する。なお、釘を完全に打ち込まず、釘の頭から５〜６ミリ残しておく。打ち込んだだけでは島の上部枠板と下部枠板と外枠の間に隙間ができる。次に、釘の頭部をバールで引っ張ることにより、隙間が少なくなり固定される。釘の頭部を少し浮かすことによって次回の入れ替えの際に簡単に抜けるようになっている。その後、パチンコ遊技機について所定の傾斜を調整する。
【００９８】
遊技機をパチンコ島の取付枠から取り外すときは、遊技機主部を扉のように開ける。遊技機の外枠の上部と下部から打ち込んだ釘を引き抜く。次に、パチンコ島の取付枠から遊技機を外枠と共に外し、遊技機全体を取り外す。
【００９９】
このような遊技機の入れ替えに際して、釘の引く抜きと新たな遊技機の釘の打ち込みが必要なため、作業の煩雑さは解消されないものであった。そこで、遊技機をパチンコ島の取付枠に容易に取り付け、取り外すことに関する技術について、例えば特許文献１の特開平７−５１４５９号公報「パチンコ台の取付装置」が提案されている。
【特許文献１】特開平７−５１４５９号公報
【０１００】
しかし、特許文献１の「パチンコ台の取付装置」では、パチンコ島の取付枠（取付板）両側面に、遊技機の外枠側と自在に着脱する別個の枠体を更に設ける構造である。そのために、パチンコ島の取付枠に枠体を更に設ける作業が必要になるという問題を有していた。
【０１０１】
また、従来のこのような外枠付きの遊技機は、遊技機主部の周囲に木製と金属製の枠体（外枠）が一体になっているので、遊技機の入れ替えの際に、ホール内で嵩張り、入れ替え作業の邪魔になりやすいという問題を有していた。
【０１０２】
そこで、本発明の発明者は、遊技機の島の枠板への固定手段を釘以外の手段にすることに着目した。遊技機主部から所謂外枠を分離し、遊技機主部のみを島に容易に取り付け、取り外すことにより、遊技機の入れ替えを短時間で終了することができ、かつ大量の遊技機をコンパクトに搬送できることに着目した。
【０１０３】
本発明は、かかる問題点を解決するために創案されたものである。すなわち、本発明の目的は、遊技機主部と外枠とを分離した構成にすることで、遊技機主部をコンパクトにして容易に搬送でき、また遊技機主部を分離した外枠に迅速に取り付け、取り外しができると共に、その外枠と嵌合する部材が、遊技機主部を自立させることができ、円滑に入れ替え作業ができる遊技機を提供することにある。
【０１０４】
遊技機Ａ１は、遊技機主部とこれを支持する外枠とが分離する遊技機であって、
遊技機主部の底部において、細長い板状の一端が展開自在になるように、その他端を該遊技機主部に回動自在に軸支されたヒンジ部材と、
前記ヒンジ部材と着脱自在に係合させることができる係合部材を具備した外枠と、を備え、
前記外枠に、前記遊技機主部を前記ヒンジ部材を介して着脱自在に固定し得るように構成した、ことを特徴とする遊技機。
遊技機Ａ１では、遊技機主部が外枠から分離した構造になり、遊技機主部を外枠に装着する際に、遊技機ベースユニットに設けられたヒンジ部材を、外枠の係合部材に嵌合させることにより、遊技機主部と外枠とを強固に嵌合させることができる。入れ替え作業に際してこのヒンジ部材は、遊技機ベースユニットから展開した状態にすると、そのまま遊技機主部（遊技機ベースユニット）を自立させることができる。即ち、遊技機主部のみを交換するので、遊技機主部は下部が不安定な状態になるが、遊技機主部の下部に設けた可動自在になる下側部材が展開した状態になっていると、遊技機主部の転倒を防止することができ、遊技機主部を自立させることができる。
このヒンジ部材は、弾性部材の付勢力により係止を解除することで自動展開する構造になる。一方、ヒンジ部材を遊技機ベースユニットと平行に維持することで、従来の外枠と一体になった遊技機と比較してコンパクトに取り扱うことができる。
【０１０５】
特に、遊技機主部と外枠とが分離する構成であるために、最初に外枠をホールの島の上部枠板と下部枠板の間に釘固定しておくことにより、遊技機の入れ替えに際しては、遊技機主部のみを交換するだけで迅速に入れ替え作業を終了させることができる。
遊技機Ａ２は、前記ヒンジ部材は、その長手方向に数箇所の固定用の係合横孔が開けられ、
前記外枠の係合部材は、各係合横孔に係合する係合片が複数形成された、ことを特徴とする遊技機１の遊技機。
遊技機Ａ２では、このように形成することで、ヒンジ部材（遊技機ベースユニット）を、係合部材（外枠）に強固に取り付けることができる。
遊技機Ａ３は、前記外枠の係合部材は、その長手方向に数箇所に位置決め用の出没自在になる嵌合ピンを備え、
前記ヒンジ部材は、各嵌合ピンが嵌合する嵌合孔が開けられた、ことを特徴とする遊技機Ａ１の遊技機。
遊技機Ａ３では、この嵌合ピンが出没自在になるので、ヒンジ部材を係合部材面上をスライドさせるように閉止させるだけで、嵌合ピンを嵌合孔に嵌合させることができ、位置決めとしての機能を発揮する。
遊技機Ａ４は、前記外枠の係合部材に、前記ヒンジ部材の嵌合孔に嵌合している嵌合ピンを下から一時的に固定するストッパを、更に備えた、ことを特徴とする遊技機Ａ３の遊技機。
遊技機Ａ４では、ストッパを嵌合ピン側に移動させると、嵌合ピンを突出した状態で維持することにより、嵌合ピンを一時的に固定することができ、ヒンジ部材が係合部材から外れないようにすることができる。
遊技機Ａ５は、前記ヒンジ部材に切り欠き状の被係止部を設け、
該被係止部に、施錠装置に設けられている鉤金具と連動する展開防止金具が係止するように構成した、ことを特徴とする遊技機Ａ１の遊技機。
遊技機Ａ５では、この展開係止金具が、シリンダ錠の操作によって連動杆を上方向又は下方向のうち予め定められた方向に移動させると、外枠に対する遊技機ベースユニットの施錠状態が解除される。外枠に対する遊技機ベースユニットの施錠状態とすることができる。運搬時、格納時に、この展開防止金具により遊技機ベースユニット２２にヒンジ部材を格納してコンパクトにすることができる。
【０１０６】
遊技機Ａ６は、遊技機主部の底部において、細長い板状の一端が展開自在になるように、その他端を該遊技機主部に回動自在に軸支されたヒンジ部材を備え、
前記ヒンジ部材を、遊技機用島設備に固定された取付枠に設けられた係合部材に着脱自在に係合させ、
該取付枠に、前記遊技機主部を前記ヒンジ部材を介して着脱自在に固定し得るように構成した、ことを特徴とする遊技機。
遊技機Ａ６では、遊技機主部が外枠から分離した構造になり、遊技機主部はコンパクトになり、嵩張らない。予め外枠に相当する枠体をパチンコ島に設置しておくことで、遊技機の入れ替えに際して、この枠体に遊技機主部が着脱自在に嵌合することができ、短時間でこの枠体に遊技機主部を取り付けることができる。また、遊技機主部を取り外すことができる。
遊技機Ａ７は、前記ヒンジ部材は、その長手方向に数箇所の固定用の係合横孔が開けられ、
前記取付枠の係合部材は、各係合横孔に係合する係合片が複数形成された、ことを特徴とする遊技機Ａ６の遊技機。
遊技機Ａ８は、前記取付枠の係合部材には、その長手方向に数箇所に位置決め用の出没自在になる嵌合ピンを備え、
前記ヒンジ部材は、各嵌合ピンが嵌合する嵌合孔が開けられた、ことを特徴とする遊技機Ａ６の遊技機。
遊技機Ａ９は、前記取付枠の係合部材には、前記ヒンジ部材の嵌合孔に嵌合している嵌合ピンを下から固定するストッパを、更に備えた、ことを特徴とする遊技機Ａ８の遊技機。
【０１０７】
遊技機１０、Ａ１〜Ａ９のいずれかにおいて、前記遊技機はパチンコ遊技機であることを特徴とする遊技機である。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードヘ書き込まれるデータ等も含む）が付与されるものが挙げられる。
【０１０８】
遊技機１０、Ａ１〜Ａ９のいずれかにおいて、前記遊技機はスロットマシンであることを特徴とする遊技機である。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０１０９】
遊技機１０、Ａ１〜Ａ９のいずれかにおいて、前記遊技機はパチンコ遊技機とスロットマシンとを融合させたものであることを特徴とする遊技機である。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手投（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【産業上の利用可能性】
【０１１０】
本発明の遊技機は、主にパチンコ機の遊技機に利用することができるが、遊技球を一時停止させる構成の遊技機であれば、パチンコ機以外の様々な遊技機に利用することができる。
【符号の説明】
【０１１１】
１０  遊技機としてのパチンコ機
１７ｂ（１７）支持金具
１７ａ（１７）支持金具
１８  支持金具
２２  遊技機本体としての遊技機ベースユニット
２２０１  ヒンジ部材
２２０２  係合横孔
２２０３  係合部材
２２０４  係合片
２２０５  嵌合孔
２２０６  嵌合ピン
２２０７  嵌合挿通孔
２２０８  支持部材
２２０９  弾性部材
２２１０  第１フランジ
２２１１  ストッパ
２２１２  長孔
２２１３  長孔の薄い部分
２２１４  長孔の厚い部分
２２１５  第２フランジ
２２１６  回動弾性部材
２２１７  ボス孔
２２１８  軸部材
２２１９  ヒンジ部材側停止片
２２２０  ユニット側停止片
２２２１  被係止部
２３  遊技機前面体としての遊技機前面ユニット
３１  施錠装置
３２  連動杆
３２０１  展開防止金具
６１  遊技盤
６２  開放入球部としての一般入賞口
６３  開閉入球部としての可変入賞装置
６３ａ  開閉手段としての開閉扉
６４  開放入球部としての上作動口
６５  開閉入球部としての下作動口
６５ａ  開閉手段としての電動役物
７１  図柄表示装置
８０  遊技球発射機構
８４  遊技球発射ハンドル
９１  窓パネル部
９５  第１膨出部
９５ａ  外側貯留部としての上皿
９５ｂ  貯留部
９５ｃ  ねじボス
９５ｄ  周縁
９５ｅ  反し部
９６ａ  外側貯留部としての下皿
１０３  音声ランプ制御装置
１０７  主制御装置
１３２  内側貯留部としてのタンク
１３５  払出装置
１４６  払出制御装置
【図１】
0005665011.tif 000002
【図２】
0005665011.tif 000003
【図３】
0005665011.tif 000004
【図４】
0005665011.tif 000005
【図５】
0005665011.tif 000006
【図６】
0005665011.tif 000007
【図７】
0005665011.tif 000008
【図８】
0005665011.tif 000009
【図９】
0005665011.tif 000010
【図１０】
0005665011.tif 000011
【図１１】
0005665011.tif 000012
【図１２】
0005665011.tif 000013
【図１３】
0005665011.tif 000014
【図１４】
0005665011.tif 000015
【図１５】
0005665011.tif 000016
【図１６】
0005665011.tif 000017